(57)【特許請求の範囲】
【請求項１】
枠体と、この枠体に開閉自在に支持される面材と、前記枠体および面材の一方に設けられかつ他方に当接して当該面材を減速可能な減速装置とを備えた建具であって、
前記減速装置は、前記枠体および面材の一方に固定される装置本体と、この装置本体に回転自在に支持されるとともに前記枠体および面材の他方に沿って転動可能な回転部材とを備え、
前記装置本体は、所定位置を含んで少なくとも前記面材の開閉方向に移動可能に前記回転部材を支持する支持部と、前記所定位置に向かって前記回転部材を付勢する付勢部と、前記所定位置にある前記回転部材と当接不能かつ所定位置から移動した当該回転部材と当接可能な当接部とを有して構成されている建具。
【請求項２】
前記枠体は、上枠を有して構成されるとともに、この上枠には前記面材をスライド開閉自在に案内する上レールが形成され、
前記面材は、その上端縁が前記上枠の長手方向に沿って前記上レールに案内されるとともに、当該上レールによって見込み方向への移動が規制され、
前記減速装置は、前記面材の上端縁における見込み方向一方側に前記装置本体が固定されるとともに、前記上枠の表面に沿って前記回転部材が転動可能に設けられるか、または、前記面材よりも見込み方向一方側における前記上枠に前記装置本体が固定されるとともに、前記面材の上端縁における見込み方向一方側側面に沿って前記回転部材が転動可能に設けられている請求項１に記載の建具。
【請求項３】
前記減速装置は、前記装置本体に対して前記回転部材を回転自在に支持する回転軸を有し、前記装置本体の支持部は、前記面材の開閉方向に沿って長く形成された長孔を有して構成され、この長孔に沿って移動自在に前記回転軸が挿通されている請求項１または請求項２に記載の建具。
【請求項４】
前記装置本体の付勢部は、前記面材の開閉方向両側から前記回転軸に当接可能な一対の弾性片を有し、前記回転部材および回転軸の移動に伴う当該弾性片の変形によって前記回転部材を前記所定位置に向かって付勢可能に構成されている請求項３に記載の建具。
【請求項５】
前記装置本体の当接部は、前記面材の開閉方向両側から前記回転部材に当接可能な一対の当接突起を有し、前記所定位置から移動した前記回転部材が当該当接突起の一方に当接することで当該回転部材の回転が減速可能に構成されている請求項１から請求項４のいずれかに記載の建具。
【請求項６】
前記枠体および面材の他方には、前記回転部材が転動可能な第１転動面と、この第１転動面よりも見込み方向一方側に突出して前記回転部材が転動可能な第２転動面とが設けられ、
前記第２転動面は、前記面材の全閉位置および全開位置の少なくとも一方に対応した位置から所定長さ寸法を有して設けられている請求項１から請求項５のいずれかに記載の建具。
【発明の詳細な説明】
【技術分野】
【０００１】
本発明は、建具に関し、詳しくは、枠体に支持される面材の開閉速度を減速するための減速装置を備える建具に関する。
【背景技術】
【０００２】
従来、枠体と面材とを備えた引き戸等の建具において、枠体の上枠（鴨居）に設けた制動部材と面材の上端縁に設けた当接部材とを摺接させて摩擦抵抗を発生させることで、面材を閉じる際の移動速度を減速させる制動装置が提案されている（例えば、特許文献１参照）。
特許文献１に記載された制動装置では、面材の閉じきり位置に対応して制動部材を設けておき、面材の閉動作の際に当接部材の摺接部材を制動部材に摺接させることによって、面材を減速させることができ、閉じきる際の衝撃音を弱めるとともに指挟みなどが回避できるようになっている。
【先行技術文献】
【特許文献】
【０００３】
【特許文献１】特許第３４２３１８０号公報
【発明の概要】
【発明が解決しようとする課題】
【０００４】
しかしながら、従来の制動装置は、面材を閉じきる際に減速させる機構を有するのみであり、制動部材と当接部材とが摺接しない状態、すなわち面材がある程度以上開放された状態においては、面材の開閉速度を減速させることができない。また、制動部材と当接部材との摩擦抵抗（動摩擦係数）は一定であるため、開放した状態の面材を勢いよく閉動作させた場合には、その速度を十分に減速させることができず、大きな衝撃音が発生する可能性もある。一方、制動部材と当接部材との摩擦抵抗を大きくしたり、制動部材を長くして摺接距離を伸ばしたりすることで、面材をより強力に減速させることも考えられるものの、その場合には、面材の開閉動作が重くなってしまい利便性を損ねるという問題がある。さらに、従来の制動装置において、面材の閉鎖速度に応じて摩擦抵抗を変動させる機構として、例えば当接部材における一対の摺動部材同士の距離を変動させるなどの機構を付加すると、装置の構造が複雑になって大型化してしまうなどの不都合が生じる。
【０００５】
本発明の目的は、利便性を良好に確保しつつ簡便な構造で面材を確実に減速させることができる減速装置を備えた建具を提供することにある。
【課題を解決するための手段】
【０００６】
本発明の建具は、枠体と、この枠体に開閉自在に支持される面材と、前記枠体および面材の一方に設けられかつ他方に当接して当該面材を減速可能な減速装置とを備えた建具であって、前記減速装置は、前記枠体および面材の一方に固定される装置本体と、この装置本体に回転自在に支持されるとともに前記枠体および面材の他方に沿って転動可能な回転部材とを備え、前記装置本体は、所定位置を含んで少なくとも前記面材の開閉方向に移動可能に前記回転部材を支持する支持部と、前記所定位置に向かって前記回転部材を付勢する付勢部と、前記所定位置にある前記回転部材と当接不能かつ所定位置から移動した当該回転部材と当接可能な当接部とを有して構成されていることを特徴とする。
【０００７】
ここで、本発明の建具としては、引き戸などの出入り口用建具であってもよいし、片引き窓や引違い窓などの窓であってもよい。さらに、建具の開閉形式としては、引き戸等の左右スライド開閉形式のものに限らず、上げ下げ窓のような上下スライド開閉形式のものでもよいし、開き戸（ドア）や開き窓、突き出し窓、内倒し窓などのスウィング（回動）開閉形式のものでもよい。
【０００８】
以上の本発明によれば、減速装置において、装置本体の支持部で回転部材を移動自在に支持するとともに、付勢部で所定位置に向かって回転部材を付勢することで、面材の開閉に伴って枠体および面材の他方に沿って回転部材が転動した際に、転動に伴う摩擦抵抗を受けた回転部材が装置本体に対して移動することとなる。そして、付勢部からの付勢力に抗して移動した回転部材が当接部に当接すれば、回転部材と当接部との間に摩擦抵抗が発生することで、回転部材の回転が止まって枠体および面材の他方に沿って摺動することとなるか、あるいは回転部材の回転速度が減速されて転動に伴う摩擦抵抗が増大することとなり、面材の開閉速度が減速される。このような回転部材の装置本体に対する移動量は、面材の開閉速度がある程度遅い場合には小さくなって、回転部材が当接部に当接せずに面材が減速しないものの、面材の開閉速度が速くなると移動量が大きくなって、回転部材が当接部に当接して減速効果を発揮し、さらに面材の開閉速度が速くなると回転部材が当接部に強く当接して大きな減速効果を発揮できるように構成されている。従って、面材の開閉速度に応じて減速効果を変動させることができるので、通常利用時においては大きな摩擦抵抗を発生させず、不意に勢いよく開閉操作された場合に面材を減速させることができるので、利便性を損なうことなく確実に面材を減速させることができる。
【０００９】
この際、本発明の建具では、前記枠体は、上枠を有して構成されるとともに、この上枠には前記面材をスライド開閉自在に案内する上レールが形成され、前記面材は、その上端縁が前記上枠の長手方向に沿って前記上レールに案内されるとともに、当該上レールによって見込み方向への移動が規制され、前記減速装置は、前記面材の上端縁における見込み方向一方側に前記装置本体が固定されるとともに、前記上枠の表面に沿って前記回転部材が転動可能に設けられるか、または、前記面材よりも見込み方向一方側における前記上枠に前記装置本体が固定されるとともに、前記面材の上端縁における見込み方向一方側側面に沿って前記回転部材が転動可能に設けられていることが好ましい。
このような構成によれば、上レールによって面材の上端縁を開閉方向に案内しかつ見込み方向への移動を規制することで、面材の上端縁の見込み方向一方側に装置本体を固定して上枠に回転部材を当接させるか、または面材よりも見込み方向一方側における上枠に装置本体を固定して面材の上端縁に回転部材を当接させるように、片側から回転部材を当接させたとしても回転部材の転動状態を良好に維持させることができる。従って、面材の見込み方向一方側および他方側の両側から挟み込むように回転部材を配置する必要がないので、減速装置の構造を簡便化できて設置コストを低減させることができるとともに、風雨の影響を受けにくい屋内側などの良好な環境の側に減速装置を設置することで、減速効果を確実に発揮させることができる。
【００１０】
さらに、本発明の建具では、前記減速装置は、前記装置本体に対して前記回転部材を回転自在に支持する回転軸を有し、前記装置本体の支持部は、前記面材の開閉方向に沿って長く形成された長孔を有して構成され、この長孔に沿って移動自在に前記回転軸が挿通されていることが好ましい。
このような構成によれば、回転部材を支持する回転軸を長孔に挿通させ、この長孔に沿って回転軸を移動自在に支持することで、比較的簡便な構造によって支持部を構成することができる。
【００１１】
また、本発明の建具では、前記装置本体の付勢部は、前記面材の開閉方向両側から前記回転軸に当接可能な一対の弾性片を有し、前記回転部材および回転軸の移動に伴う当該弾性片の変形によって前記回転部材を前記所定位置に向かって付勢可能に構成されていることが好ましい。
このような構成によれば、回転軸を挟むようにして設置した一対の弾性片で回転部材を所定位置に付勢することで、別体のばね部材等を設ける必要がなくなることから、比較的簡便な構造によって付勢部を構成することができる。
【００１２】
また、本発明の建具では、前記装置本体の当接部は、前記面材の開閉方向両側から前記回転部材に当接可能な一対の当接突起を有し、前記所定位置から移動した前記回転部材が当該当接突起の一方に当接することで当該回転部材の回転が減速可能に構成されていることが好ましい。
このような構成によれば、当接突起に回転部材を当接させることで、面接触させる場合と比較して、当接するまでの回転部材の移動量や、当接した際の当接面積を厳密に設定しやすくなり、回転部材が当接突起に当接した際の所定の摩擦抵抗を正確に設定通りに発生させることができ、減速効果をより確実に発揮させることができる。
【００１３】
また、本発明の建具では、前記枠体および面材の他方には、前記回転部材が転動可能な第１転動面と、この第１転動面よりも見込み方向一方側に突出して前記回転部材が転動可能な第２転動面とが設けられ、前記第２転動面は、前記面材の全閉位置および全開位置の少なくとも一方に対応した位置から所定長さ寸法を有して設けられていることが好ましい。
このような構成によれば、第１転動面よりも突出した第２転動面を設けることで、この第２転動面に沿って回転部材が転動した際には第１転動面の場合よりも転動による摩擦抵抗が増加し、大きな減速効果が発揮できる。さらに、面材の全閉位置や全開位置に対応して第２転動面を設けるとともに、第２転動面を所定長さ寸法に設定しておくことで、全閉前の所定区間や全開前の所定区間において、大きな減速効果を発揮させることができ、面材と枠体との衝突による衝撃を確実に緩和させることができる。
【図面の簡単な説明】
【００１４】
【図１】本発明に係る建具を示す正面図である。
【図２】前記建具の縦断面図である。
【図３】前記建具の横断面図である。
【図４】前記建具の上部を拡大して示す縦断面図である。
【図５】前記建具に設けられる減速装置を示す斜視図である。
【図６】前記減速装置の一部を断面して示す正面図である。
【図７】前記減速装置の動作を示す横断面図であり、図６に矢視VII−VII線で示す位置の断面図である。
【図８】前記建具における面材の開放状態を示す横断面図である。
【図９】前記面材の開閉操作時の動作を示す横断面図である。
【図１０】前記面材の閉鎖時の動作を示す横断面図である。
【発明を実施するための形態】
【００１５】
以下、本発明の実施形態に係る建具として、浴室出入り口用の片引き戸１を図面に基づいて説明する。
図１〜図３において、片引き戸１は、繊維強化プラスチック製の浴槽（不図示）や浴室床（防水パン）、浴室壁Ｗ等からなる浴室ユニットで構成された浴室と、この浴室に隣接して洗面台や洗濯パン等（不図示）が設置される脱衣室との出入り口に用いられる建具である。この片引き戸１は、上枠２、下枠３および左右の縦枠４，５を枠組みした枠体としての建具枠６と、この建具枠６の内部に片引き形式に開閉可能に支持された１枚の面材である障子１０と、障子１０の開閉速度を減速させるための減速装置３０とを備えて構成されている。なお、本実施形態においては、見込み方向一方側を見込み方向脱衣室側とし、見込み方向他方側を見込み方向浴室側として説明する。
【００１６】
建具枠６の上枠２、下枠３および縦枠４，５は、脱衣室の床材Ｆや三方の額縁材Ｇ等の建物側内装部材に固定され、当該建具枠６の中間部における上枠２と下枠３との間には、上下に延びる縦骨７が架設されている。そして、図１の右側の縦枠５、下枠３、縦骨７および上枠２で囲まれた建具枠６内部には、開放した障子１０を収納する戸袋部６Ａが形成され、この戸袋部６Ａには、樹脂パネル８が設けられている。障子１０は、上框１１、下框１２および左右の縦框１３，１４を四周框組みした内部に樹脂パネル１５を嵌めこんで構成されている。そして、一方（図１の左側）の縦框１３（戸先框）には、障子１０を開閉操作するためのハンドル１６が固定されている。このような障子１０は、上枠２に設けられた上レール２Ａと下枠３に設けられた下レール３Ａとに、それぞれ上框１１と下框１２とが案内されて左右にスライド開閉できるようになっている。
【００１７】
図４にも示すように、建具枠６の上枠２は、見込み方向一方側である脱衣室側および他方側である浴室側にそれぞれ延びる脱衣室側見込み面部２２および浴室側見込み面部２１と、脱衣室側見込み面部２２から下方に延びる脱衣室側見付け面部２３および浴室側見付け面部２４と、これらを連結する上枠底面部２５とを有して形成され、上レール２Ａは、脱衣室側見付け面部２３と連続して上枠底面部２５よりも下方に延びて形成されている。上框１１は、中空状の上框本体１１１と、この上框本体１１１の下方に開口して樹脂パネル１５の上端縁を保持するパネル保持部１１２と、上框本体１１１の浴室側から上方に延びる浴室側見付け片１１３と、上框本体１１１の脱衣室側から上方に延びる脱衣室側見付け片１１４とを有して形成され、浴室側および脱衣室側の見付け片１１３，１１４間に上レール２Ａが挿入されている。さらに、浴室側見付け片１１３の上端部脱衣室側には、上レール２Ａの浴室側側面に摺接可能なモヘヤ１１５が取り付けられている。また、縦框１３，１４の上端部には、上レール２Ａに案内される摺動部材１７が取り付けられており、これにより障子１０の上端縁である上框１１および縦框１３，１４の上端部は、上枠２の長手方向に沿って上レール２Ａに案内されるとともに、この上レール２Ａによって見込み方向への移動が規制されるようになっている。
【００１８】
減速装置３０は、枠体および面材の一方である障子１０の上框１１に設けられ、他方である建具枠６の上枠２に当接可能に設けられている。すなわち、減速装置３０は、図４〜図６にも示すように、上框１１に固定される装置本体３１と、この装置本体３１に回転自在に支持されるとともに上枠２の脱衣室側見付け面部２３および上レール２Ａの脱衣室側側面に沿って転動可能な回転部材であるローラー３２と、このローラー３２を装置本体３１に回転自在に支持する回転軸３３と、装置本体３１を上框１１に固着するビス３４とを備えて構成されている。さらに、減速装置３０は、上枠２の脱衣室側見付け面部２３および上レール２Ａの脱衣室側側面に固定されるライナー部材３５を有しており、上枠２の脱衣室側見付け面部２３および上レール２Ａの脱衣室側側面によって第１転動面が構成され、この第１転動面よりも見込み方向脱衣室側に突出したライナー部材３５の側面によって第２転動面が構成されている。
【００１９】
装置本体３１は、面材の上端縁における見込み方向一方側としての上框１１の脱衣室側側面に固定される樹脂製の一体成形部材であって、上框１１の脱衣室側見付け片１１４上端に係合する係合片３１１と、回転軸３３の軸頭部３３１を支持する上面部３１２と、回転軸３３の軸先端部３３２を支持する支持面部３１３と、これらの上面部３１２と支持面部３１３とに渡ってローラー３２の周囲を覆うカバー部３１４とを有して形成されている。そして、装置本体３１には、上面部３１２、支持面部３１３およびカバー部３１４で囲まれるとともに浴室側（見込み方向他方側）に向かって開口した収容空間３６が形成され、ローラー３２は、収容空間３６の内部に収容されるとともに、収容空間３６の開口から当該ローラー３２の一部が浴室側に向かって突出した状態で支持されている。ローラー３２は、軟質ゴム等の適宜な弾性および摩擦係数を有した部材から構成され、上枠２の脱衣室側見付け面部２３および上レール２Ａの脱衣室側側面に当接するとともに、障子１０の開閉に伴って転動するように構成されている。
【００２０】
以上の装置本体３１において、上面部３１２には、回転軸３３の軸頭部３３１が挿通されるとともに、この軸頭部３３１を障子１０の開閉方向（図５〜図７に矢印Ｘで示す方向）に沿って案内可能な第１長孔３１５が形成され、支持面部３１３には、回転軸３３の軸先端部３３２が挿通されるとともに、この軸先端部３３２を障子１０の開閉方向に沿って案内可能な第２長孔３１６が形成されている。軸先端部３３２には、第２長孔３１６の幅よりも径の大きなＣリング３３３が支持面部３１３の下側にて係合され、回転軸３３が上方に抜け出さないようになっている。従って、第１および第２の長孔３１５，３１６によって装置本体３１の支持部が構成され、これらの長孔３１５，３１６に回転軸３３が案内されることで、ローラー３２が障子１０の開閉方向に移動自在かつ回転自在に支持されるようになっている。なお、カバー部３１４の内周面は、ローラー３２の直径よりも所定寸法だけ大きく形成され、常時においてはローラー３２がカバー部３１４に当接せず、ローラー３２の回転および移動を規制しないようになっている。
【００２１】
また、装置本体３１の上面部３１２における第１長孔３１５の下側には、図６および図７に示すように、付勢部としての一対の弾性片３１７と、これらの弾性片３１７間の突起部３１８とが形成されている。一対の弾性片３１７は、脱衣室側から浴室側に向かって突出した突片として形成され、回転軸３３の軸頭部３３１下面に当接可能であるとともに、回転軸３３の軸部３３４を挟んで障子１０の開閉方向両側から軸部３３４に当接可能に構成されている。これらの弾性片３１７は、長孔３１５，３１６に案内されて回転軸３３が移動した際に、図７(Ｂ)に示すように、片側の弾性片３１７が弾性変形することで、回転軸３３およびローラー３２を図７(Ａ)に示す所定位置に向かって付勢するように構成されている。また、突起部３１８は、脱衣室側から浴室側に向かって突出して形成され、回転軸３３の軸頭部３３１下面に当接することで、回転軸３３の軸方向への移動が規制され、突起部３１８の先端が回転軸３３の軸部３３４に当接することで、障子１０の開閉方向以外の方向への回転軸３３のぶれが規制されるようになっている。
【００２２】
さらに、装置本体３１のカバー部３１４の内周面には、図６および図７に示すように、回転軸３３よりも脱衣室側に偏心するとともに障子１０の開閉方向の両側に位置し、障子１０の開閉方向両側からローラー３２に当接可能な当接部としての一対の当接突起３１９が形成されている。これらの当接突起３１９は、長孔３１５，３１６に案内されて回転軸３３が移動した際に、図７(Ｂ)に示すように、片側の当接突起３１９の先端がローラー３２の表面に当接することで、ローラー３２との間に摩擦抵抗を生じさせ、ローラー３２の回転を止めるか、あるいはローラー３２の回転速度を減速させるように構成されている。このように当接突起３１９に当接してローラー３２の回転が止まれば、このローラー３２が上枠２の脱衣室側見付け面部２３および上レール２Ａの脱衣室側側面に沿って摺動することとなり、障子１０の開閉速度が減速される。あるいは当接突起３１９に当接してローラー３２の回転速度が減速された場合でも、上枠２の脱衣室側見付け面部２３および上レール２Ａの脱衣室側側面に沿って転動するローラー３２の摩擦抵抗が増大し、障子１０の開閉速度が減速されることになる。
【００２３】
以上の片引き戸１において、減速装置３０の動作について、図８〜図１０も参照して詳しく説明する。ここで、図８〜図１０は、上レール２Ａの高さ位置における横断面図である。
先ず、図８に示すように、障子１０を通常の（低速な）速度で開閉操作している状態において、減速装置３０のローラー３２は、上レール２Ａ（および上枠２の脱衣室側見付け面部２３）の脱衣室側側面（上枠の表面）に沿って転動するものの、装置本体３１に対して左右方向に大きく移動することがない。すなわち、図７(Ａ)に示すように、一対の弾性片３１７に回転軸３３が付勢された状態で、ローラー３２は所定位置（または所定位置近傍）に位置し、このローラー３２が当接突起３１９に当接しないようになっている。従って、上レール２Ａに沿って転動するローラー３２の転動抵抗は作用するものの、大きな摩擦抵抗が作用せず、比較的軽い力で障子１０を開閉操作することができるようになっている。また、障子１０を閉鎖した場合には、図８に二点鎖線で示すように、ローラー３２は、ライナー部材３５を乗り越えて、ライナー部材３５と上レール２Ａとの段差部に当接し、この段差部の抵抗により障子１０の閉鎖状態が維持できるようになっている。
【００２４】
次に、図９に示すように、障子１０を通常よりも速い速度で開閉操作すると、ローラー３２は、上レール２Ａからの大きな転動抵抗を受けて障子１０の操作方向とは逆向きに移動することとなる。すなわち、図７(Ｂ)に示すように、装置本体３１に対して移動したローラー３２が片側の当接突起３１９に当接することで摩擦抵抗が生じ、これによって障子１０の開閉速度が減速されるようになっている。さらに、障子１０の閉じ切り位置近傍まで閉鎖操作をした場合には、図１０に示すように、ローラー３２がライナー部材３５に乗り上げることで、障子１０の上端縁が脱衣室側に付勢され、これによりローラー３２の転動抵抗がさらに大きくなることでローラー３２が当接突起３１９により強く当接し、開閉速度がさらに減速されるようになっている。この際、上框１１のモヘヤ１１５や縦框１３，１４の摺動部材１７が上レール２Ａの浴室側側面に押し付けられることにより生じる摩擦抵抗によって障子１０の開閉速度がさらに減速されるようになっている。従って、て障子１０の縦框１３が縦枠４に強く衝突することがなく衝撃音が抑制できるとともに、ライナー部材３５を乗り越えたローラー３２が段差部に係止されることで、障子１０の跳ね返りも抑制できるようになっている。
【００２５】
以上の本実施形態によれば、以下のような効果がある。
すなわち、減速装置３０における装置本体３１に対するローラー３２の移動量が障子１０の開閉速度に応じて変化し、開閉速度がある程度低速な場合にはローラー３２が当接突起３１９に当接せず、開閉速度が速くなるとローラー３２が当接突起３１９に当接して減速効果が発揮されるので、通常利用時においては大きな摩擦抵抗を発生させずに利便性を損なわないようにできるとともに、不意に勢いよく開閉操作された場合に障子１０を減速させて衝撃音などを抑制させることができる。また、ローラー３２の回転軸３３を長孔３１５，３１６で左右移動自在に支持し、かつ一対の弾性片３１７で所定位置に付勢する構造を採用したことで、弾性片３１７の付勢力を適宜に設定することにより、開閉速度とローラー３２の移動量との関係を調整することができ、減速装置３０が比較的簡便な構造であっても障子１０の開閉速度に応じた減速効果を発揮させることができる。
【００２６】
なお、本発明は前記実施形態の構成に限定されるものではない。
例えば、前記実施形態では、建具として、浴室出入り口用の片引き戸１を例示して説明したが、本発明の建具は、１枚の面材（障子）を有したものに限らず、２枚以上の面材が片引き形式に開閉自在に支持されたものでもよいし、２枚の面材が各々逆方向に片引き形式に支持されて左右両側に面材収納部が形成された引き分け開放形式のものでもよい。さらに、本発明の建具は、浴室用の建具に限らず屋外との開口部に設けられる建具であってもよいし、その他の開口部に設けられるものであってもよい。ここで、前記実施形態においては、見込み方向一方側を見込み方向脱衣室側とし、見込み方向他方側を見込み方向浴室側として説明したが、屋外との開口部に設けられる建具であれば、見込み方向一方側を屋内側または屋外側とし、見込み方向他方側を屋外側または屋内側とすればよいし、隣り合う空間（部屋や廊下など）同士の間に設けられる建具であれば、見込み方向一方側を一方の空間側とし、見込み方向他方側を他方の空間側とすればよい、また、本発明の建具は、引き違い形式の戸や窓であってもよいし、上げ下げ窓であってもよい。
また、本発明の建具は、スライド開閉形式のものに限らず、開き戸（ドア）や開き窓、突き出し窓、内倒し窓などのスウィング（回動）開閉形式のものでもよい。このようなスウィング開閉形式の建具においても、面材の回動軌跡に応じた適宜な位置に減速装置を設けることで、前述したのと同様の作用効果を得ることができる。
【００２７】
また、前記実施形態では、枠体および面材の一方である障子１０の上框１１に減速装置３０を設け、そのローラー３２を他方である建具枠６の上枠２に当接させるようにしたが、これに限らず、上枠２（開口枠側）に減速装置３０を設け、そのローラー３２を障子１０の上框１１に当接させてもよい。その際、障子１０がどの開閉位置でも常にローラー３２に当接可能な位置がより好ましく、例えば、上枠２における縦骨７が位置する部分など、障子１０が全閉位置の際に障子１０の戸尻側と対向する位置が好ましい。さらに、建具枠６の下枠３と障子１０の下框１２とをそれぞれ一方および他方とし、下枠３に減速装置３０を設けたり、下框１２に減速装置３０を設けたりしてもよい。
【００２８】
さらに、前記実施形態では、障子１０の上框１１の脱衣室側に減速装置３０を設け、そのローラー３２を上枠２の脱衣室側側面に当接させるようにしたが、これに限らず、浴室側に減速装置３０を設けてもよいし、脱衣室側と浴室側の両方に一対の減速装置３０を設けてもよい。ただし、浴室出入り口用建具においては、水等がかかりにくい脱衣室側に減速装置３０を設けることが好ましく、また窓等においては、風雨の影響を受けにくい屋内側に減速装置を設けることが好ましい。また、障子１０の上框１１の脱衣室側に減速装置３０を設け、そのローラー３２を上枠２の脱衣室側側面に当接させるようにしたが、ローラー３２を見込み方向に伸びる軸を軸心として回転可能に設けて上枠２の見込み面（上枠底面部２５、脱衣室側見込み面部２２）に当接させるようにしてもよい。これと同様に、上枠２側に減速装置３０を設け、見込み方向に伸びる軸を軸心としてローラー３２を回転可能に設けて上框１１の上端面（上枠２の見込み面と対向する面）に当接させるようにしてもよい。
【００２９】
また、前記実施形態の減速装置３０では、ローラー３２が装置本体３１に対して障子１０の開閉方向（図５〜図７におけるＸ方向）のみに移動自在に支持されていたが、これに限らず、ローラー３２は、障子１０の開閉方向を少なくとも含んで移動自在に支持されていればよく、すなわち、障子１０の開閉方向と見込み方向とを含む平面内を移動可能に支持されていればよい。そして、ローラー３２が見込み方向に移動自在に支持された場合には、見込み方向にローラー３２を付勢する第２付勢部が設けられていることが好ましく、この第２付勢部としては、例えば、前記実施形態における突起部３１８に代えて弾性部を設け、この弾性部で回転軸３３の軸部３３４を浴室側に押圧するようにすればよい。さらに、ローラー３２が見込み方向に移動自在に支持された場合には、見込み方向に移動したローラー３２と当接可能な第２当接部をカバー部３１４の内周面の脱衣室側に形成してもよい。
【００３０】
また、前記実施形態の減速装置３０では、ローラー３２よりも外方に位置する部位（カバー部３１４）にローラー３２を当接させることで、ローラー３２の回転を減速する構成としたが、これに限ることなく、例えば、ローラー３２の内方に対して当接部を当接させるようにしてもよい。具体的には、ローラー３２の下面に下方に開口する凹部（または上面に上方に開口する凹部）を設け、所定位置にあるローラー３２の凹部内面と当接不能かつ所定位置から移動したローラー３２の凹部内面と当接可能な当接部を設ければよい。
また、支持部としては、長孔を有したものに限らず、回転軸を移動自在に支持可能なものであればよく、例えば適宜なスライド機構や滑り機構を有して構成されたものであってもよい。
【００３１】
また、付勢部としては、一対の弾性片で回転軸を挟むような構造に限らず、回転軸を所定位置に付勢可能なものであればよく、例えば別体の弾性部材（板ばねやコイルばね等）を有して構成されたものであってもよい。
また、前記実施形態では、ライナー部材３５は障子１０の全閉位置に対応した位置から所定長さ寸法を有して設けられていたが、このような構造に限らない。例えば、全開位置に対応した位置から所定長さ寸法を有して設けてもよく、全閉位置および全開位置にそれぞれ対応した位置に所定長さ寸法を有して設けてもよい。なお、ライナー部材３５を障子１０の可動方向全域に設けてもよく、このライナー部材３５を全く用いなくてもよい。
【００３２】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００３３】
１…建具である片引き戸、２…上枠、２Ａ…上レール、６…枠体である建具枠、１０…面材である障子、３０…減速装置、３１…装置本体、３２…ローラー（回転部材）、３３…回転軸、３１５…第１長孔（支持部）、３１６…第２長孔（支持部）、３１７…弾性片（付勢部）、３１９…当接突起（当接部）。
【図１】
0005289387.tif 000002
【図２】
0005289387.tif 000003
【図３】
0005289387.tif 000004
【図４】
0005289387.tif 000005
【図５】
0005289387.tif 000006
【図６】
0005289387.tif 000007
【図７】
0005289387.tif 000008
【図８】
0005289387.tif 000009
【図９】
0005289387.tif 000010
【図１０】
0005289387.tif 000011